(57)【要約】  【課題】  アダプタの最大外径をできるだけ大きくできる照明器具を提供する。  【解決手段】  天井１に固定された引掛ローゼット２に接続され内部に高周波点灯回路基板３を収めたアダプタ４と、このアダプタ４が通る中心孔５が形成され前記アダプタ４の外周縁に係止される被係止部６を前記中心孔５に臨むように設けた本体７と、前記アダプタ４の出力が供給され前記本体７の下面に前記中心孔５に臨むように設けたソケット８と、このソケット８に接続される例えば二重環状である環状の蛍光ランプ９とを備え、前記ソケット８の中心側面においてその上方部を中心から遠ざかる凹形状部１０として形成し、前記アダプタ４の外周上方部を前記凹形状部１０に近接する凸形状部１１とした照明器具である。【選択図】  図４
2005222790.tif 000002
【特許請求の範囲】
【請求項１】
引掛ローゼットに接続され内部に高周波点灯回路基板を収めたアダプタと、このアダプタが通る中心孔が形成され前記アダプタの外周縁に係止される被係止部を前記中心孔に臨むように設けた本体と、前記アダプタの出力が供給され前記本体の下面に前記中心孔に臨むように設けたソケットと、このソケットに接続される環状の蛍光ランプとを備え、前記ソケットの中心側面においてその上方部を中心から遠ざかる凹形状部として形成し、前記アダプタの外周上方部を前記凹形状部に近接する凸形状部とした照明器具。
【請求項２】
請求項１において、凸形状部は本体側の被係止部を係止する係止凸縁である照明器具。
【請求項３】
請求項２において、係止凸縁は上下二段に形成された照明器具。
【請求項４】
請求項１において、アダプタの外周下縁を蛍光ランプの内径縁を回避する傾斜面とした照明器具。
【発明の詳細な説明】
【技術分野】
【０００１】
本発明は、高周波点灯回路基板を収めたアダプタを用いた照明器具に関する。
【背景技術】
【０００２】
特許文献１の照明器具は、引掛ローゼットに接続され内部にリモコン受信回路基板を収めたアダプタと、このアダプタが通る中心孔が形成されこの中心孔縁が前記アダプタの係止爪に係止される本体と、前記アダプタの出力が供給される照明灯とを備えている。
【特許文献１】特開２０００−３２２９２８号公報
【発明の開示】
【発明が解決しようとする課題】
【０００３】
しかし、特許文献１のアダプタは、多数の回路部品を必要とする高周波点灯回路基板が収められたものではなく、また、本体の下面にソケットや環状の蛍光ランプを設けた場合のアダプタとの関係が開示されていない。本発明は、高周波点灯回路基板を収めたアダプタ及び比較的小径の環状蛍光ランプを前提として、アダプタの最大外径をできるだけ大きくできる照明器具を提供することを目的とする。
【課題を解決するための手段】
【０００４】
本発明を要約すると、引掛ローゼットに接続され内部に高周波点灯回路基板を収めたアダプタと、このアダプタが通る中心孔が形成され前記アダプタの外周縁に係止される被係止部を前記中心孔に臨むように設けた本体と、前記アダプタの出力が供給され前記本体の下面に前記中心孔に臨むように設けたソケットと、このソケットに接続される環状の蛍光ランプとを備え、前記ソケットの中心側面においてその上方部を中心から遠ざかる凹形状部として形成し、前記アダプタの外周上方部を前記凹形状部に近接する凸形状部とした照明器具である。
【発明の効果】
【０００５】
本発明によれば、ソケットの中心側面においてその上方部を中心から遠ざかる凹形状部として形成し、アダプタの外周上方部を前記凹形状部に近接する凸形状部としたため、アダプタの最大外径をできるだけ大きくできる。これにより例えば、本体側の被係止部を係止する係止凸縁としての凸形状部を支障なく形成できたり、多数の回路部品が搭載される高周波点灯回路基板を収めるスペースの確保が容易になったりする。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、天井１に固定された引掛ローゼット２に接続され内部に高周波点灯回路基板３を収めたアダプタ４と、このアダプタ４が通る中心孔５が形成され前記アダプタ４の外周縁に係止される被係止部６を前記中心孔５に臨むように設けた本体７と、前記アダプタ４の出力が供給され前記本体７の下面に前記中心孔５に臨むように設けたソケット８と、このソケット８に接続される例えば二重環状である環状の蛍光ランプ９とを備え、前記ソケット８の中心側面においてその上方部を中心から遠ざかる凹形状部１０として形成し、前記アダプタ４の外周上方部を前記凹形状部１０に近接する凸形状部１１とした照明器具である。ここで、凸形状部１１は本体７側の被係止部６を係止する係止凸縁である。また、この係止凸縁１１は上下二段に形成される。また、アダプタ４の外周下縁を蛍光ランプ９の内径縁を回避する傾斜面１２としている。なお、本実施形態は二重環状の４０Ｗ型蛍光ランプ９を用いる照明器具に好適だが、一重環状の３０Ｗ型蛍光ランプなどを用いた照明器具にももちろん適用できる。また、アダプタ４は、実装部品を含む高周波点灯回路基板３からの輻射ノイズ低減及び強度向上のために実質的に金属板で覆われ、本体７は、軽量化のために不透明または半透明の樹脂材料で形成されると好ましい。そして、半透明の場合は天井１への配光も容易に得られ、蛍光ランプ９が点灯したときの本体７付近の天井１の暗がりによる重圧感が解消される。
【０００８】
本実施形態によれば、ソケット８の中心側面においてその上方部を中心から遠ざかる凹形状部１０として形成し、アダプタ４の外周上方部を前記凹形状部１０に近接する凸形状部１１としたため、アダプタ４の最大外径をできるだけ大きくできる。そうすると、本体７側の被係止部６を係止する係止凸縁としての凸形状部１１を支障なく形成できたり、多数の回路部品が搭載される高周波点灯回路基板３を収めるスペースの確保が容易になったりする。また、アダプタ４の傾斜面１２により、傾斜面１２より上部のアダプタ４の外径をできるだけ大きくできて、やはり、アダプタ４内での高周波点灯回路基板３を収めるスペースの確保が容易になる。
【０００９】
図示の実施形態はまた、引掛ローゼット２に接続され内部に高周波点灯回路基板３を収めたアダプタ４と、このアダプタ４が通る中心孔５が形成され前記アダプタ４に係止される本体７と、この本体７の下面に設けられ前記アダプタ４の出力がリード線１３を介して供給されるソケット８と、このソケット８の下面に接続される二重環状の蛍光ランプ９とを備え、前記リード線１３は前記蛍光ランプ９のフィラメント１４がある側とは反対側の上面に通された照明器具である。また、リード線１３が蛍光ランプ９のフィラメント１４がある側には通されないように、本体７の中心孔５縁には下向きの壁１５が部分的に形成される。さらに念のため、リード線１３は、本体７において蛍光ランプ９のフィラメント１４がない側に設けた線止め部２３に通されている。
【００１０】
本実施形態によれば、アダプタ４とソケット８を結ぶリード線１３を蛍光ランプ９のフィラメント１４がある側とは反対側の上面に通すことにより、フィラメント１４による高温の影響を回避してリード線１３の絶縁被覆の耐熱性を考慮し、その熱的劣化を防止している。また、本体７の壁１５や線止め部２３にてリード線１３の通す箇所を限定して、その熱的劣化を確実に防止している。
【００１１】
図示の実施形態はまた、殊に図７を参照すれば、引掛ローゼット２に接続され内部に高周波点灯回路基板３を収めたアダプタ４と、このアダプタ４が通る中心孔５が形成され前記アダプタ４に係止される本体７と、この本体７の下面に設けられ前記アダプタ４の出力が供給されるソケット８と、このソケット８に接続される環状の蛍光ランプ９と、この蛍光ランプ９を覆って前記本体７に取り付けられるグローブ１６とを備え、前記アダプタ４の下面に人体センサ装置１７を取り付け、この人体センサ装置１７による人体検知出力を前記高周波点灯回路基板３に供給した照明器具である。また、人体センサ装置１７の下面を蛍光ランプ９の下面より下に配置している。なお、人体センサ装置１７を用いる場合、グローブ１６としてはポリエチレン樹脂など人体赤外線が通過できる材料が使用される。
【００１２】
本実施形態によれば、内部に高周波点灯回路基板３を収めたアダプタ４の下面に人体センサ装置１７を取り付けられ、人体センサ装置１７による人体検知出力で蛍光ランプ９を点灯制御できるようにしている。また、人体センサ装置１７の下面を蛍光ランプ９の下面より下に配置することにより、焦電型の赤外線センサなどを用いた人体センサ装置１７への蛍光ランプ９からの光入射(赤外線入射)を弱くし、蛍光ランプ９の点灯から消灯への移行時の急な照度変化による人体センサ装置１７の誤動作で人体検知出力信号が送出されてしまうことを防止している。
【００１３】
さらに詳述すれば、アダプタ４の上面には一対の導電性の引掛刃１８、１８を備え、引掛刃１８、１８を引掛ローゼット２の下面の一対の円弧孔(図示せず)に挿入して回転することにより、アダプタ４は引掛ローゼット２に接続受電される。この受電により電源供給されて高周波点灯回路基板３に実装された高周波点灯回路が作動し、その高周波出力はアダプタ４の側面に設けたコネクタ１９に出力される。次に、アダプタ４に対して本体７を押し上げるとその中心孔５にアダプタ４が通され、図示されないバネで中心方向に付勢されている被係止部６は後退した後、アダプタ４の上面すなわち上側の凸形状部(係止凸縁)１１の上面に突出されて係止され、本体７はアダプタ４に取り付けられる。なお、ソケット８からのリード線１３の先端のコネクタ２１とアダプタ４のコネクタ１９とが近接するように、本体７をアダプタ４に対して押し上げると良い。また、下側の凸形状部(係止凸縁)１１は、角型の引掛ローゼット２の代わりに相対的に高さの低い丸型の引掛ローゼットが設置されている場合に有用であり、その場合にはアダプタ４の位置が図３や図７より上に位置するため、被係止部６は下側の凸形状部(係止凸縁)１１に係止される。また、被係止部６の後端下部に突出した解除操作部２０を外向きに変位操作すると係止状態は解除され、本体７は取り外し可能となる。
【００１４】
次に、ソケット８からのリード線１３の先端のコネクタ２１をアダプタ４のコネクタ１９に差し込み接続する。このとき、本体７に形成した下向きの壁１５のある部分からはコネクタ２１をコネクタ１９に接続できないため、前記壁１５のない部分からコネクタ２１をコネクタ１９に接続することになり、リード線１３は蛍光ランプ９のフィラメント１４の無い側の上方に通されることになる。また、リード線１３が、本体７において蛍光ランプ９のフィラメント１４がない側に設けた線止め部２３にあらかじめ通されていると、リード線１３の通し方向があらかじめ定まっていて好ましい。なお、壁１５は大略半円周に形成され、また、壁１５の切り欠き部分１５ａに被係止部６を出没可能に収めた略逆Ｌ状のケース２２の内壁が位置しており、コネクタ２１がケース２２でも邪魔されることで、リード線１３がフィラメント１４の上面に通されることがやはり防止されている。また、リード線１３は本体７に設けた線止め部２３に通されてその通し方向を限定している。なお、アダプタ４からコネクタ１９を介さずにリード線を引き出してその先端にコネクタを設け、そのようなコネクタをソケット８の側面などに設けたコネクタに接続して、ソケット８に高周波出力を供給してもよい。
【００１５】
次に、蛍光ランプ９をソケット８の下面に接続する。蛍光ランプ９の受電ピン２４はソケット８の下面中央のソケット本体２５の下面に差し込まれて接続受電され、ソケット８の下面両側に突出した一対のバネ２６、２６で蛍光ランプ９のベース９ａの両側を保持している。また、蛍光ランプ９の反対側部分は本体７の下面に固定されたバネ性の支持具２７にて支持される。そして最後に、グローブ１６を本体７の下面に設けた取付具２８に回転係止させる。なお、本体７の上面にはスポンジなどのクッション材２９が貼りつけられており、クッション材２９と天井１との摩擦により本体７が天井１に対して回転されにくいようにしている。
【００１６】
また、図７を参照して追加説明すれば、人体センサ装置１７は、焦電型の赤外線センサ部３０を収めた下部ケース３１と、センサ部３０の出力が接続されるセンサ回路基板３２を収め下部ケース３１の上に一体に形成された上部ケース３３を備え、センサ回路基板３２の出力リード線３４はアダプタ４の下面に通されて高周波点灯回路基板３に接続されている。また、上部ケース３３はビス３５にてアダプタ４の下面に固定され、もって人体センサ装置１７はアダプタ４の下面に固定されている。
【図面の簡単な説明】
【００１７】
【図１】(A) アダプタの上面斜視図、(B) 同下面斜視図
【図２】本体の下面斜視図
【図３】照明器具の断面図(被係止部６を通る断面)
【図４】照明器具の断面図(ソケット８を通る断面)
【図５】グローブを外した状態の照明器具の側面図
【図６】同下面図
【図７】人体センサ装置を付加した状態の照明器具の断面図
【符号の説明】
【００１８】
１  天井
２  引掛ローゼット
３  高周波点灯回路基板
４  アダプタ
５  中心孔
６  被係止部
７  本体
８  ソケット
９  蛍光ランプ
１０  凹形状部
１１  凸形状部
１２  傾斜面
１３  リード線
１４  フィラメント
１５  壁
１６  グローブ
１７  人体センサ装置
【図１】
2005222790.tif 000003
【図２】
2005222790.tif 000004
【図３】
2005222790.tif 000005
【図４】
2005222790.tif 000006
【図５】
2005222790.tif 000007
【図６】
2005222790.tif 000008
【図７】
2005222790.tif 000009